(57)【特許請求の範囲】
【請求項１】
基地局が、同一の情報系列を、２つの符号パターンを用いて符号化して得られる２つの信号それぞれを、２つのアンテナそれぞれから、Ｗ−ＣＤＭＡ方式により無線送信する送信ダイバーシチモードで信号を送信しているか否かを検出する送信ダイバーシチモード検出装置であって、
前記基地局からの信号から、ベクトル値の前記２つのアンテナの信号成分それぞれを抽出する複数の信号成分抽出手段と、
それぞれ前記抽出された２つのアンテナの信号成分それぞれの平均値を生成する平均値生成手段と、
前記生成された平均値と、予め決められた値の規格化閾値との乗算値を求める乗算手段と、
前記生成された平均値と前記求められた乗算値とを比較し、前記平均値が前記乗算値と同じか大きいときに、前記基地局が送信ダイバーシチモードで信号を送信していると判断し、前記平均値が前記乗算値よりも小さいときに、前記基地局が通常モードで信号を送信していると判断する判断回路手段と
を有する送信ダイバーシチモード検出装置。
【請求項２】
前記２つの信号成分は、２つのアンテナから送信されるＣＰＩＣＨ信号であって、
偶数のスロットタイミングは−１の符号パターンで符号化され、奇数のスロットタイミングは＋１の符号パターンで符号化される前記基地局からのＰＳＣＨ信号を用いて、前記抽出された２つの信号成分の位相補償を行う位相補償手段であって、前記基地局において送信ダイバーシチが行われているときに、偶数のスロットタイミングでは第１のアンテナのみからＰＳＣＨ信号を送信し、奇数のスロットタイミングでは第２のアンテナのみからＰＳＣＨ信号を送信する位相補償手段
をさらに有し、
前記平均値生成手段は、前記位相補償された２つの信号成分それぞれを、複数のフレームにわたって平均して得られる平均値を生成する
請求項１に記載の送信ダイバーシチモード検出装置。
【請求項３】
前記２つのアンテナの信号成分の前記平均値は、正（＋）または負（−）の値をとり、前記基地局が、送信ダイバーシチモード以外で信号を送信しているときには、前記平均値の負（−）の値となり、
前記２つのアンテナの一方の信号成分の前記平均値が負（−）の値であるときに、前記送信ダイバーシチモード検出手段は、前記基地局が、送信ダイバーシチモード以外で信号を送信していると判定する
請求項１または２に記載の送信ダイバーシチモード検出装置。
【請求項４】
前記乗算手段は、前記平均値生成手段により生成された２つのアンテナの信号成分の一方の平均値の絶対値に、規格化のための数値を乗算して規格化絶対値とし、
前記判断回路手段は、前記平均値生成手段により生成された２つのアンテナの信号成分の他方の平均値の絶対値が、前記規格化絶対値と同じか大きいときに、前記基地局が送信ダイバーシチモードで信号を送信していると判断し、前記他方の信号成分の平均値の絶対値が前記規格化絶対値よりも小さいときに、前記基地局が通常モードで信号を送信していると判断する
請求項１に記載の送信ダイバーシチモード検出装置。
【発明の詳細な説明】
【技術分野】
【０００１】
本発明は、Ｗ−ＣＤＭＡ方式の移動体通信システムの移動局側において、基地局側の送信ダイバーシチモードを検出する送信ダイバーシチモード検出装置に関する。
【背景技術】
【０００２】
例えば、非特許文献１，２は、移動体通信システムにおける送信ダイバーシチの方法を開示する。
送信ダイバーシチは、移動体通信システムの基地局において、同一の情報系列を、異なる２つの符号パターンで符号化することにより得られた２つの送信信号それぞれを、例えば、基地局の上り受信ダイバーシチ用の２つのアンテナそれぞれから送信することにより行われる。
【０００３】
送信ダイバーシチにより送信された信号を受信する移動体通信システムの移動局は、通信相手の基地局から、信号が送信ダイバーシチにより送られてきているか否か（送信ダイバーシチモード）を検出することにより、検出したモードに応じて、情報系列の復調に用いる符号パターンを適応的に選択し、復調を行う。
従って、送信ダイバーシチモードの検出に誤りが生じると、復号される情報系列に誤りが発生してしまうことがある。
【非特許文献１】「Ｗ−ＣＤＭＡ移動体通信方式（立川敬二監修，丸善株式会社，平成１３（２００１）年６月，ＩＳＢＮ４−６２１−０４８９４−５）」ｐ６８〜ｐ７４
【非特許文献２】「ディジタルワイヤレス伝送技術（三瓶政一著，ピアソンエデュケーション，平成１４（２００２）年９月，ＩＳＢＮ４−８９４７１−５６０−０）」ｐ１５７
【発明の開示】
【発明が解決しようとする課題】
【０００４】
本発明は、上述した背景からなされたものであり、送信ダイバーシチモードを正確に検出することができるように改良された送信ダイバーシチモード検出装置を提供することを目的とする。
【課題を解決するための手段】
【０００５】
上記目的を達成するために、本発明にかかるダイバーシチモード検出装置は、基地局が、同一の情報系列を、２つの符号パターンを用いて符号化して得られる２つの信号それぞれを、２つのアンテナそれぞれから、Ｗ−ＣＤＭＡ方式により無線送信する送信ダイバーシチモードで信号を送信しているか否かを検出する送信ダイバーシチモード検出装置であって、前記基地局からの信号から、ベクトル値の前記２つのアンテナの信号成分それぞれを抽出する複数の信号成分抽出手段と、前記抽出された２つの信号成分それぞれの平均値を生成する平均値生成手段と、前記生成された平均値の絶対値の関係に基づいて、前記基地局が、送信ダイバーシチモードで信号を送信しているか否かを判定する送信ダイバーシチモード検出手段とを有する。
【０００６】
好適には、前記２つの信号成分は、２つのアンテナから送信されるＣＰＩＣＨ信号であって、前記基地局からのＰＳＣＨ信号を用いて、前記抽出された２つの信号成分の位相補償を行う位相補償手段をさらに有し、前記平均値生成手段は、前記位相補償された２つの信号成分それぞれを、複数のフレームにわたって平均して得られる平均値を生成する。
【０００７】
好適には、前記２つのアンテナの一方の信号成分の前記平均値の符号の値は、前記基地局が、送信ダイバーシチモード以外で信号を送信しているときに、所定の値をとり、前記送信ダイバーシチモード検出手段は、前記２つのアンテナの一方の信号成分の前記平均値の符号の値が、前記所定の値であるときに、前記基地局が、送信ダイバーシチモード以外で信号を送信していると判定する。
【発明の効果】
【０００８】
本発明によれば、送信ダイバーシチモードを正確に検出することができるように改良された送信ダイバーシチモード検出装置が提供される。
【発明を実施するための最良の形態】
【０００９】
［第１の送信ダイバーシチモード検出回路１］
まず、第１の送信ダイバーシチモード検出回路１を説明する。
図１は、第１の送信ダイバーシチモード検出回路１の構成を示す図である。
図１に示すように、第１の送信ダイバーシチモード検出回路１は、相関器１００、第１および第２の乗算器１０２−１，１０２−２、第１および第２の累加算器１０４−１，１０４−２、第１および第２の電力化回路１０６−１，１０６−２、第１および第２の平均化回路１０８−１，１０８−２、第３の乗算器１１０および第１の判定回路１１２から構成される。
【００１０】
なお、以下、乗算器１０２−１，１０２−２など、複数ありうる構成部分が、いずれかが特定されずに示されるときには、乗算器１０２などと略記されることがある。
また、以下の各図において、実質的に同じ構成部分には、同じ符号が付されている。
また、以下の各送信ダイバーシチモード検出回路の構成部分は、専用のハードウエアによっても、ＤＳＰ(Digital Signal Processor)などにより実行されるソフトウエアとしても実現されうる。
移動体通信システムの移動局（図示せず）において、送信ダイバーシチモード検出回路１は、これらの構成部分により、移動体通信システムの基地局（図示せず）から、２つのアンテナ（アンテナ１，２）を用いた送信ダイバーシチにより送られてきた信号を処理して、その送信ダイバーシチモードを検出する。
【００１１】
送信ダイバーシチモード検出回路１において、相関器１００は、２つのアンテナ（アンテナ１，２）による送信ダイバーシチが用いられ（送信ダイバーシチモードで）、あるいは、１つのアンテナ（アンテナ１）により送信ダイバーシチが用いられずに（通常モードで）送信され、移動局により受信されたＣＰＩＣＨ(Common Pilot Channel)を逆拡散し、ＣＰＩＣＨ相関値として乗算器１０２−１，１０２−２に対して出力する。
第１の乗算器１０２−１は、相関器１００から入力されるＣＰＩＣＨ相関値を、アンテナ１用の符号パターンと複素乗算し、ＣＰＩＣＨ相関値のアンテナ１の成分を抽出し、第１の累加算器１０４−１に対して出力する。
第２の乗算器１０２−２は、相関器１００から入力されるＣＰＩＣＨ相関値を、アンテナ２用の符号パターンと複素乗算し、ＣＰＩＣＨ相関値のアンテナ２の成分を抽出し、第２の累加算器１０４−２に対して出力する。
【００１２】
第１の累加算器１０４−１は、第１の乗算器１０２−１から入力されるＣＰＩＣＨ相関値のアンテナ１の成分を、１スロットタイミングの区間、累加算し、第１の電力化回路１０６−１に対して出力する。
第２の累加算器１０４−２は、第２の乗算器１０２−２から入力されるＣＰＩＣＨ相関値のアンテナ２の成分を、１スロットタイミングの区間、累加算し、第２の電力化回路１０６−２に対して出力する。
【００１３】
第１の電力化回路１０６−１は、基地局と移動局との間の伝送路において信号に生じる位相の回転を除去するために、第１の累加算器１０４−１から入力された累加算値の電力値を求め、第１の平均化回路１０８−１に対して出力する。
第２の電力化回路１０６−２は、基地局と移動局との間の伝送路において信号に生じる位相の回転を除去するために、第２の累加算器１０４−２から入力された累加算値の電力値を求め、第２の平均化回路１０８−２に対して出力する。
【００１４】
第１の平均化回路１０８−１は、第１の電力化回路１０６−１から入力された電力値に含まれるノイズを除去するために、電力値を平均化し、平均値を第３の乗算器１１０に対して出力する。
第２の平均化回路１０８−２は、第２の電力化回路１０６−２から入力された電力値に含まれるノイズを除去するために、電力値を平均化し、平均値を判定回路１１２に対して出力する。
【００１５】
第３の乗算器１１０は、第１の平均化回路１０８−１から入力された平均値と、規格化閾値とを乗算し、乗算値を判定回路１１２に対して出力する。
ここで、基地局は、２つのアンテナそれぞれから、同じ電力で信号を送信するので、基地局と移動局との間の伝送路が理想的であるときには、基地局がダイバーシチモードで信号を送信すると、第１および第２の平均化回路１０８−１，１０８−２それぞれから出力される平均値は同じになるはずである。
しかしながら、実際の伝送路においては、第１および第２の平均化回路１０８−１，１０８−２が、伝送路において同じ減衰量を受け、移動局において同じ強度で受信されるとは限らないので、判定回路１１２は、伝送路における減衰量の差を見込んだ比較を行う必要がある。
このために、第３の乗算器１１０において、第１の平均化回路１０８−１からの平均値に乗算される規格化閾値としては、例えば、１／８が用いられる。
【００１６】
判定回路１１２は、乗算器１１０から入力された乗算値と、平均化回路１０８−２から入力された平均値とを比較し、平均値が乗算値と同じとき、または、平均値が乗算値よりも大きいときに、基地局が送信ダイバーシチモードで信号を送信していると判断する。
また、判定回路１１２は、平均値が乗算値よりも小さいときに、基地局が通常モードで信号を送信していると判断する。
この判断結果は、基地局から受信された信号を復調するための符号パターンを選択するためなどに用いられる（以下同様）。
【００１７】
［第２の送信ダイバーシチモード検出回路２］
以下、本発明にかかる第２の送信ダイバーシチモード検出回路２を説明する。
図２は、本発明にかかる第２の送信ダイバーシチモード検出回路２の構成を示す図である。
第１の送信ダイバーシチモード検出回路１において、電力化回路１０６は、累加算器１０４から入力される累加算値を２乗することにより、その電力値を求めるので、電力値に２乗誤差が生じる。
【００１８】
また、電力値は２乗値であり、全ての電力値は＋の同符号なので、その平均値の算出のために、平均化回路１０８が電力値を加算しても、電力値に含まれるノイズ成分はキャンセルされず、平均化回路１０８による平均化では、大きなノイズ抑制効果は得られない。
送信ダイバーシチモード検出回路２は、このような背景からなされたものであって、第１の送信ダイバーシチモード検出回路１（図１）と比べて、送信ダイバーシチモードの検出における雑音の影響を低減することができるように改良されている。
【００１９】
図２に示すように、第２の送信ダイバーシチモード検出回路２は、第１の相関器１００、乗算器１０２−１，１０２−２、累加算器１０４−１，１０４−２、第１および第２の前ｓｌｔ平均化回路２００−１，２００−２、第１のスイッチ２０２、第２の相関器２１０、第４の乗算器２１２、第２のスイッチ２１４、偶ｓｌｔ平均値回路２１６、奇ｓｌｔ平均化回路２１８、第１および第２のｆｒｍ平均化回路２２０−１，２２０−２、第１および第２の絶対値化回路２２２−１，２２２−２、乗算器１１０および第２の判定回路２３０から構成される。
送信ダイバーシチモード検出回路２は、これらの構成部分により、基地局から受信されたＣＰＩＣＨおよびＰＳＣＨ(Primary Synchronization Channel)の信号を用いて送信ダイバーシチモードの検出を行う。
【００２０】
なお、基地局において、送信ダイバーシチが行われているときには、偶数のスロットタイミングでは、アンテナ１のみからＰＳＣＨ信号が送信され、奇数のスロットタイミングでは、アンテナ２のみからＰＳＣＨ信号が送信される。
また、１フレームは、０〜１４のスロットタイミングから構成され、ＰＳＣＨ信号は、偶数スロットタイミングにおいては−１の符号パターンで符号化され、奇数スロットタイミングにおいては＋１の符号パターンで符号化される。
【００２１】
第２の送信ダイバーシチモード検出回路２においても、相関器１００、乗算器１０２および累加算器１０４は、第１の送信ダイバーシチモード検出回路１（図１）においてと同様の処理を行う。
つまり、相関器１００は、移動局により受信されたＣＰＩＣＨを逆拡散する。
乗算器１０２−１，１０２−２は、相関器１００から入力されるＣＰＩＣＨ相関値を、アンテナ１，２用の符号パターンと複素乗算し、ＣＰＩＣＨ相関値のアンテナ１，２の成分を抽出する。
累加算器１０４−１，１０４−２は、乗算器１０２−１，１０２−２から入力されるＣＰＩＣＨ相関値のアンテナ１，２の成分を、１スロットタイミングの区間、累加算する。
【００２２】
第１の前ｓｌｔ平均化回路２００−１は、第１の累加算器１０４−１から入力されるあるスロットタイミング（現在の１つ前のスロットタイミング）の累加算値と、その次のスロットタイミング（現在のスロットタイミング）の累加算値との平均値を求め、スイッチ２０２に対して出力する。
第２の前ｓｌｔ平均化回路２００−２は、第２の累加算器１０４−２から入力される現在の１つ前のスロットタイミングの累加算値と、現在のスロットタイミングの累加算値との平均値を求め、スイッチ２０２に対して出力する。
【００２３】
第１のスイッチ２０２は、現在のスロットタイミングが偶数番のスロットタイミングであるときには、第１の前ｓｌｔ平均化回路２００−１が出力する平均値を選択して乗算器２１２に対して出力する。
また、スイッチ２０２は、現在のスロットタイミングが奇数番のスロットであるときには、第２の前ｓｌｔ平均化回路２００−２が出力する平均値を選択して乗算器２１２に対して出力する。
第４の相関器２１０は、ＰＳＣＨ信号を逆拡散し、ＰＳＣＨ相関値を生成して、乗算器２１２に対して出力する。
乗算器２１２は、スイッチ２０２が選択した平均値と、第２の相関器２１０から入力されるＰＳＣＨ相関値とを複素乗算して、平均値に対する位相補償を行い、位相補償結果を、第２のスイッチ２１４に対して出力する。
【００２４】
第２のスイッチ２１４は、現在のスロットタイミングが偶数番のスロットタイミングであるときには、第２の乗算器２１２が出力する位相補償結果を、偶ｓｌｔ平均化回路２１６に対して出力する。
また、第２のスイッチ２１４は、現在のスロットタイミングが奇数番のスロットタイミングであるときには、第２の乗算器２１２が出力する位相補償結果を、奇ｓｌｔ平均化回路２１８に対して出力する。
偶ｓｌｔ平均化回路２１６は、偶数番スロットタイミング（スロットタイミング１４を除く）の位相補償結果を、１フレームの区間、累加算して、累加算値を第１のｆｒｍ平均化回路２２０−１に対して出力する。
奇ｓｌｔ平均化回路２１８は、奇数番スロットタイミングの位相補償結果を、１フレームの区間、累加算して、累加算値を第２のｆｒｍ平均化回路２２０−２に対して出力する。
【００２５】
第１のｆｒｍ平均化回路２２０−１は、偶ｓｌｔ平均化回路２１６から入力される累加算値から、ｎフレーム分（ｎ≧２の整数）の偶数番スロットタイミングの移動補償結果の平均値を求め、第１の絶対値化回路２２２−１に対して出力する。
第２のｆｒｍ平均化回路２２０−２は、奇ｓｌｔ平均化回路２１８から入力される累加算値から、ｎフレーム分の奇数番スロットタイミングの移動補償結果の平均値を求め、第２の絶対値化回路２２２−２に対して出力する。
【００２６】
第１の絶対値化回路２２２−１は、第１のｆｒｍ平均化回路２２０−１から入力される平均値を絶対値化して、乗算器１１０に対して出力する。
第２の絶対値化回路２２２−２は、第２のｆｒｍ平均化回路２２０−２から入力される平均値を絶対値化して、第２の判定回路２３０に対して出力する。
乗算器１１０は、第１の絶対値化回路２２２−１から入力される絶対値化された平均値に、規格化閾値（例えば、第１の送信ダイバーシチモード検出回路１（図１）においてと同様に１／８）を乗算し、乗算値を判定回路２３０に対して出力する。
【００２７】
第２の判定回路２３０は、第１の送信ダイバーシチモード検出回路１の第１の判定回路１１２と同様に、乗算器１１０から入力された乗算値と、第２の絶対値化回路２２２−２から入力された絶対値化された平均値とを比較し、平均値が乗算値と同じとき、または、平均値が乗算値よりも大きいときに、基地局が送信ダイバーシチモードで信号を送信していると判断する。
また、第２の判定回路２３０は、第１の判定回路１１２と同様に、平均値が乗算値よりも小さいときに、基地局が通常モードで信号を送信していると判断する。
【００２８】
［送信ダイバーシチモード検出回路２の動作］
以下、第２の送信ダイバーシチモード検出回路２の動作を説明する。
相関器１００、乗算器１０２−１，１０２−２および累加算器１０４−１，１０４−２は、移動局により受信されたＣＰＩＣＨを逆拡散し、ＣＰＩＣＨ相関値に含まれるアンテナ１，２の成分を抽出し、抽出されたアンテナ１，２の成分を、１スロットタイミングの区間、累加算する。
前ｓｌｔ平均化回路２００−１，２００−２は、累加算器１０４−１，１０４−２から入力された現在の１つ前のスロットタイミングの累加算値と、現在のスロットタイミングの累加算値との平均値を求め、平均値に含まれるノイズ成分を除去する。
第２の前ｓｌｔ平均化回路２００−２は、第２の累加算器１０４−２から入力される現在の１つ前のスロットタイミングの累加算値と、現在のスロットタイミングの累加算値との平均値を求めることにより、累加算値に含まれるノイズ成分を除去する。
【００２９】
スイッチ２０２は、現在のスロットタイミングが偶数番のスロットタイミングであるときには、前ｓｌｔ平均化回路２００−１が出力する平均値を選択し、現在のスロットタイミングが奇数番のスロットタイミングであるときには、前ｓｌｔ平均化回路２００−２が出力する平均値を選択して、乗算器２１２に対して出力する。
相関器２１０および乗算器２１２は、ＰＳＣＨ信号を用いて、スイッチ２０２を介して入力される平均値の位相補償を行う。
【００３０】
上述のように、基地局において、送信ダイバーシチが行われているときには、偶数のスロットタイミングでは、アンテナ１のみからＰＳＣＨ信号が送信され、奇数のスロットタイミングでは、アンテナ２のみからＰＳＣＨ信号が送信される。
また、偶数番のスロットタイミングでは、符号パターンとして−１が用いられ、奇数番のスロットタイミングでは、符号パターンとして＋１が用いられる。
そこで、偶数番のスロットタイミングの位相補正結果と、奇数番のスロットタイミングの位相補正結果とを、別々に振り分ける必要が生じる。
この振り分けは、スイッチ２１４により、現在のスロットタイミングが偶数番のスロットタイミングであるときには、乗算器２１２による位相補償結果を偶ｓｌｔ平均化回路２１６に対して出力し、現在のスロットタイミングが奇数番のスロットタイミングであるときには、第２の乗算器２１２による位相補償結果を奇ｓｌｔ平均化回路２１８に対して出力することにより、実現される。
【００３１】
偶ｓｌｔ平均化回路２１６は、基地局において、アンテナ１から送信されたＣＰＩＣＨ信号から得られた平均値の位相補償結果を累加算し、ｆｒｍ平均化回路２２０−１は、アンテナ１から送信されたｎフレーム分の位相補償結果の平均値を求める。
また、奇ｓｌｔ平均化回路２１８は、基地局において、アンテナ２から送信されたＰＳＣＨ信号の位相補償結果を累加算し、ｆｒｍ平均化回路２２０−２は、アンテナ２から送信されたｎフレーム分の平均値の位相補償結果の平均値を求める。
第２の送信ダイバーシチモード検出回路２においては、平均値を求める対象が、２つのスロットタイミングの間で平均化されたＣＰＩＣＨ相関値のアンテナ１，２の成分というベクトル値であり、これらに含まれるノイズ成分の位相も回転するので、平均をとることにより、ノイズ成分は大幅に除去される。
【００３２】
絶対値化回路２２２−１は、ｆｒｍ平均化回路２２０−１から入力される平均値を絶対値化し、乗算器１１０は、アンテナ１の成分から得られた平均値に、例えば１／８という規格化閾値を乗算する。
絶対値化回路２２２−２は、ｆｒｍ平均化回路２２０−２から入力される平均値を絶対値化する。
判定回路２３０は、第１の送信ダイバーシチモード検出回路１の判定回路１１２と同様に、絶対値化された２つの平均値を比較して、送信ダイバーシチモードを検出する。
【００３３】
［第３の送信ダイバーシチモード検出回路３］
以下、本発明にかかる第３の送信ダイバーシチモード検出回路３を説明する。
図３は、本発明にかかる第３の送信ダイバーシチモード検出回路３の構成を示す図である。
図２，図３を比較すると分かるように、第３の送信ダイバーシチモード検出回路３は、第２の送信ダイバーシチモード検出回路２の第２の判定回路２３０を、第３の判定回路３００および符号判定回路３０２で置換した構成を採る。
【００３４】
送信ダイバーシチモード検出回路３において、第３の判定回路３００は、第１の判定回路１１２および第２の判定回路２３０と同様に、平均値が乗算値よりも小さいときに、基地局が通常モードで信号を送信していると判断する。
符号判定回路３０２は、第２のｆｒｍ平均化回路２２０−２が出力する平均値の符号を判断し、この符号が負（−）であるときには、平均値と乗算値との関係のいかんを問わず、基地局が通常モードで信号を送信していると判断する。
【００３５】
［第３の送信ダイバーシチモード検出回路３の動作］
第２の送信ダイバーシチモード検出回路２について述べたように、基地局が送信ダイバーシチモードで信号を送信しているか、通常モードで信号を送信しているかにかかわらず、第１のｆｒｍ平均化回路２２０−１から出力される平均値の符号は負（−）となる。
一方、基地局が送信ダイバーシチモードで信号を送信しているときには、第２のｆｒｍ平均化回路２２０−２から出力される平均値の符号の値は正（＋）となり、通常モードで信号を送信しているときは、基地局から送られてくる信号にアンテナ２の成分は存在しないので、この平均値の符号の値は＋，−のいずれかの不定となる。
【００３６】
従って、第２のｆｒｍ平均化回路２２０−２から出力される平均値の符号が−であるときには、基地局がアンテナ２を使った信号の送信をしていないと判断することができ、従って、基地局が通常モードで信号を送信していると判断することができる。
このように、第３の判定回路３００が、平均値と乗算値の値の大小から検出される送信ダイバーシチモードよりも、第２のｆｒｍ平均化回路２２０−２から出力される平均値の符号から検出される送信ダイバーシチモードを優先させることにより、より正確に、送信ダイバーシチモードが検出されうる。
【産業上の利用可能性】
【００３７】
本発明は、移動体通信システムにおいて用いられる送信ダイバーシチのモードの検出のために利用することができる。
【図面の簡単な説明】
【００３８】
【図１】第１の送信ダイバーシチモード検出回路の構成を示す図である。
【図２】本発明にかかる第２の送信ダイバーシチモード検出回路の構成を示す図である。
【図３】本発明にかかる第３の送信ダイバーシチモード検出回路の構成を示す図である。
【符号の説明】
【００３９】
１〜３・・・送信ダイバーシチモード検出回路、
１００，２１０・・・相関器、
１０２，１１０，２１２・・・乗算器、
１０４・・・累加算器、
１０６・・・電力化回路、
１０８・・・平均化回路、
１１２，２３０，３００・・・判定回路、
２００・・・前ｓｌｔ平均化回路、
２０２，２１４・・・スイッチ、
２１６・・・偶ｓｌｔ平均化回路、
２１８・・・奇ｓｌｔ平均化回路、
２２０・・・ｆｒｍ平均化回路、
２２２・・・絶対値化回路。
【図１】
0004603946.tif 000002
【図２】
0004603946.tif 000003
【図３】
0004603946.tif 000004